(57)【要約】棒状体の側面を保持可能な先端側の保持筒（３１）と、前記棒状体の底面を支持可能な皿部（３３）と、該皿部（３３）よりも後端側にある押筒（３４）と、を備え、前記保持筒（３１）は前記皿部（３３）と破断可能な連結部分（３５）によって連結されており、前記連結部分（３５）が破断することで、前記皿部（３３）と前記押筒（３４）とが昇降体として、前記保持筒の内周の内側に進入可能であり、前記皿部（３３）の外径は、該押筒（３４）の外径よりに大きく、前記保持筒（３１）の内径は、前記皿部３３（３３）の外径よりも大きい、スティックホルダー（３）。
2020049700.tif 000002
【特許請求の範囲】
【請求項１】
棒状体の側面を保持可能な先端側の保持筒と、前記棒状体の底面を支持可能な皿部と、該皿部よりも後端側にある押筒と、を備え、
前記保持筒は前記皿部と破断可能な連結部分によって連結されており、
前記連結部分が破断することで、前記皿部と前記押筒とが昇降体として、前記保持筒の内周の内側に進入可能であり、
前記皿部の外径は、該押筒の外径よりに大きく、
前記保持筒の内径は、前記皿部の外径よりも大きい
スティックホルダー。
【請求項２】
前記皿部と前記保持筒とを連結する前記連結部分は、前記昇降体の皿部の外周面の先端に断続的に設けられている
請求項１に記載のスティックホルダー。
【請求項３】
前記棒状体は、固体又は半固体の化粧品である
請求項１又は２に記載のスティックホルダー。
【請求項４】
前記昇降体が、前記保持筒の内側に進入した際に、前記保持筒に対する前記昇降体の回転を規制する第１の回転規制機構が、前記保持筒の内周と、前記皿部の外周とで構成されている
請求項１乃至３のいずれか一項に記載のスティックホルダー。
【請求項５】
前記第１の回転規制機構は、前記保持筒の前記内周における、他の部分よりも突出し、軸方向に延伸するリブと、
前記リブと嵌合可能である、前記昇降体の皿部の外周における、他の部分よりも凹み、軸線方向に延伸する延伸溝部と、で構成されている
請求項４に記載のスティックホルダー。
【請求項６】
請求項１乃至５のいずれか一項に記載のスティックホルダーと、
前記スティックホルダーの前記保持筒の外周の少なくとも一部と接触して、前記スティックホルダーの回転を規制し、内部を前記スティックホルダーが軸線方向にスライド移動可能である、筒状のスリーブと、を備える
繰出し容器。
【請求項７】
請求項１乃至３のいずれか一項に記載のスティックホルダーと、
前記スティックホルダーの前記保持筒の外周の少なくとも一部と接触して、前記スティックホルダーの回転を規制し、内部を前記スティックホルダーが軸線方向にスライド移動可能である、筒状のスリーブと、を備え、
前記スティックホルダーは、
前記皿部の後端側に、押筒の周囲から起立するフランジをさらに備え、
前記昇降体が、前記保持筒の内側に進入した際に、前記保持筒に対する前記昇降体の回転を規制する第１の回転規制機構が、前記フランジの外周と、前記スリーブの内周とで構成されている
繰出し容器。
【請求項８】
前記第１の回転規制機構は、
前記フランジの外側面である略多角柱形の輪郭部と、
前記スリーブの内側面の、軸線状に延伸する略多角柱状の中空部によって構成されている
請求項７に記載の繰出し容器。
【請求項９】
前記スティックホルダーが、前記スリーブの内部でスライド移動する際に、前記スリーブに対する前記スティックホルダーの回転を規制する第２の回転規制機構が、前記スティックホルダーの前記保持筒の外周面と、前記スリーブの内側面で、構成されている
請求項６乃至８のいずれか一項に記載の繰出し容器。
【請求項１０】
前記第２の回転規制機構は、
前記保持筒の、前記外周面の他の部分よりも頂点が突出した略多角柱形の輪郭部と、
前記スリーブの内側面の、軸線状に延伸する略多角柱状の中空部によって構成されている
請求項９に記載の繰出し容器。
【請求項１１】
前記スティックホルダーに対して相対的に回転することで、前記スティックホルダーを軸線方向に移動させる繰出し筒をさらに備える
請求項６乃至１０のいずれか一項に記載の繰出し容器。
【請求項１２】
前記繰出し筒は、内周面に螺旋状の溝が形成された略筒状の雌ネジ部材であり、
前記スティックホルダーの前記押筒の円周面の後端付近には、前記雌ネジ部材の前記螺旋状の溝と係合する複数の係合突起が設けられている
請求項１１に記載の繰出し容器。
【請求項１３】
前記雌ネジ部材に形成された前記螺旋状の溝では、先端から前記保持筒の軸線方向の長さに相当する長さ分のピッチは、後端側のピッチよりも狭い
請求項１２に記載の繰出し容器。
【請求項１４】
前記スティックホルダーの前記押筒の外周面には、螺旋状の溝が形成されており、
前記繰出し筒の内周面の先端付近には、前記押筒の前記螺旋状の溝と係合する複数の係合突起が設けられている
請求項１１に記載の繰出し容器。
【請求項１５】
前記押筒に形成された前記螺旋状の溝では、後端から前記保持筒の軸線方向の長さに相当する長さ分のピッチは、先端側のピッチよりも狭い
請求項１４に記載の繰出し容器。
【発明の詳細な説明】
【技術分野】
【０００１】
本発明は、スティックホルダー及び該スティックホルダーを備える繰出し容器に関する。
【背景技術】
【０００２】
口紅等の棒状化粧品を繰り出す化粧品繰出容器において、内容物を最後まで使い切るために、口紅の後端の底部及び周囲を保持するスティックホルダーの上部を破壊する構成が知られている。【０００３】
例えば、特許文献１では、内容物が残り少なくなると、ホルダーの一部を縦方向に割くことで、内容物を取り出し可能な構成が開示されている。【０００４】
一方、特許文献２では、棒状化粧品の容器の後端部を、コイン等の道具を用いて回転させることで内容物を最後まで押し出す構成が開示されている。
【先行技術文献】
【特許文献】
【０００５】
【特許文献１】特開２０１６−８８５２２号公報
【特許文献２】特開平１１−２３５２３２号公報
【発明の概要】
【発明が解決しようとする課題】
【０００６】
しかし、特許文献１では、ホルダーを破壊する際に内容物が使用者の手についてしまうおそれがあった。【０００７】
また、特許文献２では、内容物を最後まで使用するには、コイン等の道具を準備する必要があるため、棒状化粧品が残り少なくなった際に、道具が手元にないと、化粧品を使用できなかった。また、繰出し容器の内部で、道具によって回転させられる部材は、通常使用時の繰出し部材とは別に設けられているため、部材が多くなる分、繰出し容器が太くなってしまった。【０００８】
そこで、本発明は上記事情に鑑み、スリムな形状を確保しながら、道具を準備したり、手を汚すことなく、棒状体の内容物を最後まで使い切ることができる、スティックホルダーの提供を目的とする。
【課題を解決するための手段】
【０００９】
上記課題を解決するため、本発明の一態様のスティックホルダーは、
棒状体の側面を保持可能な先端側の保持筒と、前記棒状体の底面を支持可能な皿部と、該皿部よりも後端側にある押筒と、を備え、
前記保持筒は前記皿部と破断可能な連結部分によって連結されており、
前記連結部分が破断することで、前記皿部と前記押筒とが昇降体として、前記保持筒の内周の内側に進入可能であり、
前記皿部の外径は、該押筒の外径よりに大きく、
前記保持筒の内径は、前記皿部の外径よりも大きい。
【発明の効果】
【００１０】
一態様によれば、スティックホルダーにおいて、スリムな形状を確保しながら、道具を準備したり、手を汚すことなく、棒状体の内容物を最後まで使い切ることができる。
【図面の簡単な説明】
【００１１】
【図１】本発明の第１実施形態に係る繰出し容器の全体側面図と全体側面断面図。
【図２】図１の繰出し容器の分解図。
【図３】本発明の繰出し容器における口紅の残量が少なくなっていく様子を示す図。
【図４】繰出し容器に含まれるスティックホルダーの押し込みを説明する断面図。
【図５】第１実施形態に係るスティックホルダーの説明図。
【図６】スティックホルダーの先端部の斜視図と前側透視図。
【図７】スリーブと、スティックホルダーの斜視図。
【図８】図７とは別の角度の、スリーブと、スティックホルダーの斜視図。
【図９】図１に示す繰出し容器におけるスリーブ及びスティックホルダーの縦方向断面図。
【図１０】第１実施形態に係るスティックホルダーと、繰出し筒を示す斜視図。
【図１１】図１０の繰出し筒を開放した状態を示す図。
【図１２】第１実施形態に係る繰出し容器におけるスティックホルダー及び繰出し筒、及びケースを示す縦方向断面図。
【図１３】本発明の第２実施形態の側面図及び側面断面図。
【図１４】図１３の繰出し容器において、繰出し筒及びスリーブの側面断面図と、スティックホルダー及び棒状化粧料の斜視図を組み合わせた図。
【図１５】第２実施形態に係るスティックホルダーの説明図。
【図１６】第３実施形態に係るスティックホルダー及び繰出し筒の斜視図。
【図１７】第３実施形態に係るスティックホルダーの説明図。
【発明を実施するための形態】
【００１２】
以下、図面を参照して本発明を実施するための形態について説明する。下記、各図面において、同一構成部分には同一符号を付し、重複した説明を省略する場合がある。
【００１３】
本発明は、棒状体を繰り出し可能なスティックホルダー及び該スティックホルダーを備える繰出し容器に関する。
【００１４】
ここで、本発明の繰出し容器で収容し、繰り出し可能な棒状体として、棒状化粧料と、化粧料以外の棒状物を含みうる。
【００１５】
棒状化粧料とは、例えば、口紅、リップクリーム、コンシーラー、スティックアイシャドウ、スティックファンデーション、スティック状の美容液、スティック状の保湿剤、等でありうる。
【００１６】
化粧料以外の棒状物とは、例えば、スティック状の練り香水、スティック状の制汗料、スティック状の日焼け止め、スティック状の薬、スティック状の虫除け、スティック状の固体洗剤、スティック糊、スティック接着剤、消しゴム、口紅を模したおもちゃ等でありうる。
【００１７】
また、棒状体は、所定の形状に形成された固体の他、一定以上の粘度を有した、所定の形状を維持可能な材料、例えば、粘弾性材料等も含みうる。
【００１８】
さらに、棒状体は、予め棒状に成形されたものをスティックホルダーに取りつけてもよいし、あるいは、後述するようにスティックホルダーの保持筒の内周面と、皿部の上面とで形成される補充空間に材料を充填して棒状体を形成する場合も含まれる。
【００１９】
以下において、棒状体として、棒状化粧料Ｌを例として説明する。
【００２０】
＜全体構成＞
図１は、本発明の一実施形態に係る繰出し容器１０の全体図である。図２は、繰出し容器１０の分解図である。図１において、（ａ）は全体側面図であって、（ｂ）は図１（ａ）の繰出し容器１０を断面ＡＡで切断した、側面断面図である。
【００２１】
図１及び図２を参照して、繰出し容器１０の全体構成について説明する。
【００２２】
繰出し容器１０は、ケース１、スリーブ２、スティックホルダー３、ジョイント部４、繰出し筒５、オーリング（Ｏ−ｒｉｎｇ）６を備えており、棒状化粧料Ｌを収容している。また、ケース１組付品である繰出し容器１０のジョイント部４に、キャップ７が着脱自在にとりつけられる。
【００２３】
ケース１、スリーブ２、ジョイント部４、キャップ７は、例えば、ＡＢＳ（アクリロニトリル・ブタジエン・スチレン）等の樹脂で構成される。スティックホルダー３は、例えば、ＰＢＴ（ポリブチレンテレフタレート）等の樹脂で構成される。繰出し筒５は、例えばＰＯＭ（ポリアセタール）等の樹脂で構成される。オーリング６は、例えば、ＮＢＲ（ニトリルゴム）等の弾性素材で構成される。
【００２４】
ケース１は、繰出し容器１０の外筒部（ボディ、袴筒ともいう）であり、例えば、円筒形状又は多角筒形状で構成されている。
【００２５】
スリーブ２は、ケース１よりも径が小さく、ケース１に対して、先端側に飛び出すように構成されている。スリーブ２は、ケース１に対して相対的に回転可能であって、スリーブ２とケース１とを相対的に回転させることで、棒状化粧料Ｌが、ケース１に対して軸方向（図１の左右方向）に、前進、後退移動する。スリーブ２は、スティックホルダー３の回転を規制してスライド移動可能に支持する支持筒であり、摺動筒部でもある。
【００２６】
スティックホルダー３は、棒状化粧料の固定具（例えば、口紅固定具、リードホルダーともいう）であって、先端には、棒状化粧料Ｌが取りつけられる。
【００２７】
ジョイント部４は、ケース１と、スリーブ２とを固定する連結部である。スリーブ２はジョイント部４に対してスライド可能に固定される。オーリング６は、スリーブ２の後端側に固定される。スリーブ２とジョイント部４との間にオーリング６を挟むことで、スリーブ２がスライド時のジョイント部４との間の摺動抵抗が調整されるとともに、必要に応じて気密も担保出来る。
【００２８】
繰出し筒５は、外筒部であるケース１に収容される中筒部であって、スティックホルダー３に対して相対的に回転することで、スティックホルダー３を軸線方向に移動させる回動筒であって、繰出用部材として機能する。
【００２９】
図２を参照して、まず、スティックホルダー３は、繰出し筒５の中に移動可能に取り付けられる。
【００３０】
そして、スティックホルダー３は、繰出し筒５の中に移動可能に取り付けられる。詳しくは、本実施形態では、繰出し筒５は、後述の図１０、図１１で示すように、内部に螺旋溝を有した雌ネジ形状であり、スティックホルダー３の後端部を挟んだ状態で折り畳まれて取り付けられる。
【００３１】
そして、スティックホルダー３が取り付けられた繰出し筒５は、ケース１に組み付けられる。
【００３２】
一方、ジョイント部４には、スリーブ２が組み付けられる。
【００３３】
その後、スティックホルダー３及び繰出し筒５が内部に組み付けられたケース１に対して、スリーブ２が組み付けられたジョイント部４が取りつけられることで、繰出し容器１０の組み立てが完成する。
【００３４】
そして、繰出し容器１０を組み立てた後、スリーブ２の先端側（図１の左側）から、保持筒３１の内周及びスリーブ２の内側に固体の化粧料を差し込んで装填する。
【００３５】
あるいは、スリーブ２の先端側（図１の左側）から、保持筒３１の内周及びスリーブ２の内側に流動体の化粧料を注入して充填してもよい。注入により充填可能な化粧料とは、例えば、充填時に周囲温度を高く設定することにより、変形可能な流動体である、バーム状であって、ワセリンや蜜蝋などをベースに肌に塗りやすく、液だれしないように、半固形にしたものを指す。なお、先端側からだけでなく、容器を少し改造して、後端側から化粧料を充填してもよい。流動体が充填されることで、スティックホルダー３の先端の保持筒（チャック）３１の内側と皿部３３の上面に囲まれる空間に存在する化粧料は、固まった後の棒状化粧料Ｌの、後端部の径の小さい部分である、被保持部であるくわえ部Ｌｓとなる。
【００３６】
このように組み立てられ、差し込みにより装填された又は注入により充填された繰出し容器１０に対して、キャップ７は着脱可能に取りつけられる。
【００３７】
図３は、本発明の繰出し容器１０において、棒状化粧料Ｌの残量が少なくなっていく様子を示す図である。
【００３８】
詳しくは、図３において、（ａ）は、棒状化粧料Ｌが減る前であって、キャップ７を装着している状態を示す図、（ｂ）は、棒状化粧料Ｌを通常使用時に最も伸ばした状態を示す図、（ｃ）は、棒状化粧料Ｌの残量が少なくなった際に、棒状化粧料Ｌを最後まで使用し、使用し切れなくなった棒状化粧料を押し出した状態を示す図である。
【００３９】
図３（ａ）の状態は、棒状化粧料は最も下側（後端側）である下死点の状態に位置している。図３（ａ）に示すように、スリーブ２の先端部の手前には、内周が小さくなる段差Ｓが設けられている。
【００４０】
図３（ａ）〜図３（ｃ）に示すように、スティックホルダー３は、保持筒３１と、皿部３３と、押筒３４とを備えている。保持筒３１は、スティックホルダー３の先端側に設けられ、棒状化粧料Ｌの側面を保持する。皿部３３は、保持筒３１の棒状化粧料Ｌの底面を保持する。押筒３４は棒状に延伸する筒状の部材である。保持筒３１の外周の後端には、外側回転規制部３１２が設けられている。
【００４１】
繰出し筒５の内周には図３（ｃ）に示すように、ピッチが変化する螺旋溝５１が形成されている。スティックホルダー３の、押筒３４の後端側には、繰出し筒５の内周の螺旋溝５１と係合する突起である、ホルダー側係合突起（係合突起、係合部）３４１が設けられている。
【００４２】
スティックホルダー３は、繰出し筒５に対して、回転しながら移動可能（螺進可能）であり、スリーブ２に対して、回転を規制されながら軸線方向にスライド移動可能である。
【００４３】
図３（ａ）及び図３（ｂ）を参照して、繰出し筒５が、スリーブ２に対して相対的に回転することで、スティックホルダー３が繰出し筒５に対して先端方向に移動する。
【００４４】
繰出し筒５は、外筒体であるケース１に固定されている。そのため、例えば、使用者が、スリーブ２を固定してケース１を回転させる、あるいは、ケース１を固定してスリーブ２を回転させることで、繰出し筒５は、スティックホルダー３に対して相対的に回転することになり、この相対的な回転に応じて、棒状化粧料Ｌが前進又は後退する。
【００４５】
スリーブ２は、スティックホルダー３の保持筒３１の外側の一部である外側回転規制部３１２と接触して、スティックホルダー３の周方向の回転を規制しつつ、スリーブ２を軸線方向にスライド可能に支持する。
【００４６】
また、図３（ｃ）に示すように、スティックホルダー３を螺進させる、雌ネジ形状の繰出し筒５は、内周側に刻まれた螺旋状の溝（螺旋溝）５１は、後端側と、先端側とで、溝ピッチ（ねじリード）が異なっており、後端側が広く、先端側が狭くなっている。
【００４７】
例えば、後端側螺旋溝５１２の溝ピッチは６ｍｍであり、先端側螺旋溝５１１の溝ピッチは、３ｍｍとする。使用者は、スティックホルダー３の後端が、繰出し筒５の後端側螺旋溝５１２を移動している際は、通常の力で、棒状化粧料Ｌを繰り出すことができる。
【００４８】
なお、図３（ａ）の棒状化粧料Ｌの状態で、棒状化粧料Ｌを繰り出す際は、棒状化粧料Ｌの後端が保持筒３１の外側回転規制部３１２の後端と位置が一致した状態で、棒状化粧料Ｌはスティックホルダー３の保持筒３１と一緒に移動して、スリーブ２から押し出される。
【００４９】
そして、スリーブ２の内部で、スティックホルダー３をさらに前進させて、スティックホルダー３の保持筒３１の外側回転規制部３１２が図３（ａ）のスリーブ２の内側の段差Ｓに突き当たると、保持筒３１は、それ以上先端側には進めない。そのため、この状態でスティックホルダー３をそれ以上前に進めようとしても、保持筒３１と皿部３３とは、破断可能に連結されているため、スティックホルダー３は前に進めなくなる。この状態が、図３（ｂ）に示す、棒状化粧料Ｌが通常使用上死点に達した状態である。
【００５０】
図３（ｂ）に示した状態だと、スティックホルダー３の先端は、スリーブ２の先端と略同じ位置に到達し、スティックホルダー３の後端に設けられたホルダー側係合突起３４１は、繰出し筒５の螺旋溝５１のピッチが変化する境界に到達する。
【００５１】
このように、保持筒３１の外側回転規制部３１２が段差Ｓに突き当たるタイミングに合わせて、スティックホルダー３の後端のホルダー側係合突起３４１と係合する、繰出し筒５の螺旋溝５１のピッチを狭くなるように構成する（後端側螺旋溝５１２⇒先端側螺旋溝５１１）ことにより、下記の機能を有している。
【００５２】
ここで、１回転当たりのスティックホルダー３が前に進む距離（ピッチ）が小さいと、繰出し筒５に対してスティックホルダー３が同じ回転力で相対的に回転しても、大きな推進力を出すことができる。
【００５３】
このため、通常使用上死点に達した、スティックホルダー３に対して、スリーブ２又はケース１を回転させることで、繰出し筒５からホルダー側係合突起３４１を介して押筒３４に大きな推進力が加えられる。この推進力により、皿部３３と保持筒３１との破断可能な連結部分が破断して、皿部３３を含む昇降体（押し上げ体）３２は、保持筒３１の中に進入する。
【００５４】
昇降体３２が、保持筒３１の内部に進入すると、保持筒３１の内周と皿部３３の上面である底板３３ｂによって囲まれた、棒状化粧料Ｌを保持していた保持空間が小さくなることで、底板３３ｂによって、棒状化粧料Ｌのくわえ部Ｌｓ（図２参照）は保持空間から押し出される。この皿部３３の底板３３ｂによる押し出しにより、棒状化粧料Ｌの後端側のくわえ部Ｌｓは、スリーブ２の先端よりも外側に突出するので、棒状化粧料Ｌを、最後まで使用することができる。
【００５５】
ここで、図３（ｂ）の状態から棒状化粧料Ｌを繰り出す際、皿部３３が、保持筒３１内を前進し、保持筒３１はスリーブ２に固定されて移動しないため、保持空間において、移動する棒状化粧料Ｌと、固定されている保持筒３１との間に摩擦力が作用する。そうすると、通常使用上死点を超えて棒状化粧料Ｌのくわえ部Ｌｓを繰り出す場合、前進時は、皿部３３により押圧されてくわえ部Ｌｓは皿部３３と一緒に前進するが、後退時には皿部３３を後退させると、摩擦力により、くわえ部Ｌｓの後端と皿部３３とが分離して、棒状化粧料がスリーブ２から飛び出したまま、取り残されることもありうる。
【００５６】
そのため、図３（ｂ）の状態の後に、棒状化粧料Ｌのくわえ部Ｌｓをスリーブ２先端から大きく突出させると、棒状化粧料Ｌが、不安定となる場合も想定しうる。
【００５７】
これに対して、本実施形態では、棒状化粧料Ｌのくわえ部Ｌｓを押し出す場合は、スティックホルダー３の後端に設けられたホルダー側係合突起３４１が、ピッチの狭い螺旋溝５１１の領域内になるため、棒状化粧料Ｌの進む距離を、微調整することができる。そのため、１回転当たりのピッチの小さい領域で、皿部３３を移動させるので、棒状化粧料Ｌのくわえ部Ｌｓのみが残った後の、押し出し量を微調整することができる。
【００５８】
このようにして、保持筒３１に存在していた棒状化粧料Ｌのくわえ部Ｌｓをほとんど使い切ったら、図３（ｃ）に示すように、皿部３３をほきだし上死点まで押し上げて、残っている棒状化粧料を皿部３３から分離する。図３（ｃ）の状態では、棒状化粧料Ｌは、ほきだし上死点、即ち、棒状化粧料Ｌを全て押し出すことが出来る上死点に達している。
【００５９】
ここで、繰出し筒５において、溝ピッチが狭い先端側螺旋溝５１１の領域の長さＬＧ１が、スティックホルダー３における保持筒３１の軸方向の長さＬ３１以上と同じ位置又は外側に突出するので、棒状化粧料Ｌを、最後まで使用することができる。あるいは、棒状化粧料が脱落してしまうことも考慮し、ＬＧの長さをＬ３１よりも短く設定して、皿部３３の底板３３ｂによる押出しを、スリーブ２の先端より１ｍｍ〜２ｍｍ程度凹んだところで止まるように構成してもよい。
【００６０】
＜スティックホルダー＞
繰出し容器１に含まれる、スティックホルダー３の構成について、下記説明する。
【００６１】
図４は、スティックホルダー３の押し込みを説明する断面図である。図４において、（ａ）は破断点が破断する前の状態のスティックホルダーの断面図、（ｂ）は破断点が破断し、昇降体３２が保持筒３１の中に進入した状態を示す。
【００６２】
保持筒３１は、スティックホルダー３の先端側に設けられ、棒状化粧料の側面を保持する。皿部３３は、保持筒３１の棒状化粧料の底面を保持する円柱状の底板３３ｂを有する円柱部材である。押筒３４は棒状に延伸する筒状の部材である。押筒３４は、皿部３３と一体化して固定されており、外径は皿部３３よりも小さい（細い）。
【００６３】
スティックホルダー３において、皿部３３及び押筒３４は、保持筒３１に対して、押し込む、昇降体（押し上げ体）３２として機能する。昇降体３２は、保持筒３１よりも軸方向の後端側に設けられており、棒状化粧料Ｌが残り少なくなった場合に、図３（ｂ）の状態からさらに押し込むと、昇降体３２は、保持筒３１の内側に進入することができる。
【００６４】
保持筒３１は、皿部３３に対して破断可能な連結部分３５によって連結されている。
【００６５】
スティックホルダー３の、押筒３４の外周面３４ｏに、繰出し筒５の内周の螺旋溝５１１と係合する突起である、ホルダー側係合突起３４１が設けられている。本構成では、ホルダー側係合突起３４１と、繰出し筒５の螺旋溝５１との関係は、雄ネジの山の一部と雌ネジの溝との関係になる。
【００６６】
本実施形態では、ホルダー側係合突起３４１は、１８０°離れて、軸方向において同じ高さに２つ設けられている例を示しているが、ホルダー側係合突起３４１は軸方向において、同じ高さ又は異なる高さに、３つ以上設けてもよい。押筒３４に複数の係合突起３４１を設けることで、繰出し筒５の螺旋溝５１に対して２箇所以上で係合することになり、繰出し筒５に対して、スティックホルダー３を安定して回転移動させることができる。
【００６７】
図３（ｂ）に示すように、連結部分３５が破断することで、昇降体３２の皿部３３の外周が、保持筒３１の内周の内側に進入する。
【００６８】
このようにスティックホルダー３は、図３（ｂ）で示した、スティックホルダー３の先端が、スリーブ２の先端に到達する作動上死点である通常使用上死点で、一旦停止する。
【００６９】
スティックホルダー３を繰出し筒５に対してさらに回転させると、係合部であるホルダー側係合突起３４１に対して、図２に示した繰出し筒５の先端側螺旋溝５１１がさらに繰り上がろうとし、連結部分３５を破壊する。
【００７０】
そして、繰出し筒５のネジ（螺旋溝）に対して、昇降体３２がさらに先端側に前進することで、保持筒３１部の内周側に昇降体３２が進入し、棒状化粧料Ｌのくわえ部Ｌｓを押し出す（ほきだす）。
【００７１】
このような構成により、スティックホルダー３の可動の上死点が、通常時の通常使用上死点と、使い切り時のほきだし上死点とで２箇所設定されている。
【００７２】
そのため、スティックホルダー３は、通常使用時では、保持筒３１は昇降体３２と一体化されており、残り少なくなった際に、連結部分３５が破断することで１部品から２部品へ分割され、保持筒３１に昇降体３２が進入する。そのため、製造時は、スティックホルダー３は、１部品で成形出来るので部品コストが削減できる。
【００７３】
また、スティックホルダー３は、部品の追加なく、通常使用時は一部品として一体的に構成されているため、最後に押し出すための追加の部品は不要となる。そのため、スリム化した細長い繰出し容器において、道具を準備したり、手を汚すことなく、棒状化粧料のくわえ部を最後まで使い切ることができる。
【００７４】
図５は、スティックホルダー３の説明図である。図５において、図１（ａ）の状態から見て、（ａ）は左正面図、（ｂ）は上面図、（ｃ）は側面図、（ｄ）は右正面図である。図６は、スティックホルダー３の先端部の説明図である。図６において、（ａ）は皿部３３の斜視図であり、（ｂ）は、図６（ａ）を縦方向に切断した斜視断面図である。
【００７５】
図５及び図６に示すように、スティックホルダー３の皿部３３の外周面３３ｏには、他の部分よりも凹んでいる、軸線方向に延伸する延伸溝部３３１が形成されている。延伸溝部３３１は、皿部３３側の第１の回転止め部の一例である。
【００７６】
また、図４（ａ）及び図６（ｂ）に示すように、保持筒３１の内周３１ｉには、他の部分よりも突出して、軸方向に延伸している、壁状の突起であるリブ３１１が設けられている。リブ３１１は、保持筒３１側の第１の回転止め部の一例である。
【００７７】
皿部３３の延伸溝部３３１は、保持筒３１のリブ３１１と係合可能であって、皿部３３の延伸溝部３３１が、保持筒３１のリブ３１１に沿ってスライド移動することで、昇降体３２の皿部３３は、保持筒３１のリブ３１１に沿って、スライド移動する。
【００７８】
リブ３１１と、延伸溝部３３１は、昇降体３２が保持筒３１の内周の内側に進入した際に、保持筒３１に対する皿部３３の回転を規制する、第１の回転規制機構の一例である。第１の回転規制機構の構成はこの例に限られず、保持筒３１の内周側の何らかの回転止め機能を有する構成と、皿部３３の外周側に何らかの回転止め機能を有する構成が設けられていればよい。
【００７９】
何らかの回転止め部が、保持筒３１の内周と、皿部３３の外周とで構成されていることにより、昇降体３２が、保持筒３１の内側に進入した際に、保持筒３１に対する皿部３３の回転を規制する、第１の回転規制機構として機能する。
【００８０】
図６（ｂ）に示すように、皿部３３と保持筒３１とを連結する連結部分３５は、昇降体３２の皿部３３の外周面３３ｏの先端に断続的に設けられている。詳しくは、皿部３３の先端の周面において、保持筒３１のリブ３１１及び皿部３３の延伸溝部３３１が設けられている部分を破断領域（破断点）として除いて、断続的な連結部分３５が設けられている。
【００８１】
さらに、図５（ａ）、（ｄ）及び、図６（ａ）に示すように、保持筒３１の後端部は、保持筒３１の外周面３１ｏの他の部分よりも頂点が突出した略多角筒形の輪郭形状をしている、外側回転規制部３１２が設けられている。外側回転規制部３１２の輪郭形状は、スティックホルダー３が、スリーブ２に対する回転を規制する第２の回転規制部材として機能する。
【００８２】
＜スリーブとスティックホルダー＞
図７は、スリーブ２と、スティックホルダー３の斜視図であり、図８は、図７とは別の角度から見た、スリーブ２とスティックホルダー３の斜視図である。
【００８３】
上述のように、スティックホルダー３は、スリーブ２によって、スティックホルダー３の保持筒３１の外周の一部である外側回転規制部３１２と接触して、回転を規制されながら、スリーブ２の内部を回転せずにスライド移動することができる。
【００８４】
図７に示すように、スリーブ２の内側の回転規制部の一例としては、スリーブ２の内側の、軸線状に延伸する略多角柱状の中空部２１によって構成されている。
【００８５】
また、図６（ｂ）に示したように、保持筒３１の外周面の後端部には、略多角柱形の輪郭形状を有する外側回転規制部３１２が設けられている。
【００８６】
略多角柱状の中空部２１と、略多角形の輪郭を有する外側回転規制部３１２は、スティックホルダー３がスリーブ２内をスライド移動する際の、回転を規制する、第２の回転規制機構の一例である。第２の回転規制機構の構成はこの例に限られず、スリーブ２の内周側の何らかの回転止め機能を有する構成と、保持筒３１の外周面３１ｏに何らかの回転止め機能を有する構成が設けられていればよい。
【００８７】
何らかの回転止め部が、スリーブ２の内周と、保持筒３１の外周とで構成されていることにより、スティックホルダー３が、スリーブ２の内側をスライドする際に、スリーブ２に対する保持筒３１の回転を規制する、第２の回転規制機構として機能する。
【００８８】
また、図８に示すように、スリーブ２の内側では、略多角柱状の中空部２１は、先端側には設けられておらず、スリーブ２の先端の内側は、略多角柱状の中空部２１よりも狭い内径を有する円筒形状の先端内周面２２で構成されている。
【００８９】
このように、スリーブ２の内側が構成されることにより、スティックホルダー３の先端の保持筒３１の外側回転規制部３１２は、スリーブ２の内側の、先端内周面２２と略多角柱状の中空部２１との段差Ｓに突き当たる。そのため、図３（ｂ）⇒図３（ｃ）で示したように、スティックホルダー３の保持筒３１が先端に到達した後は、保持筒３１はそれ以上先端側には動かず、後端側の昇降体３２のみが先端側に移動する。
【００９０】
これにより、保持筒３１の内周と皿部３３の上面に囲まれた保持空間に残っていた、棒状化粧料Ｌのくわえ部Ｌｓ（図２参照）がスリーブ２の外側に押し出される。なお、内容物である棒状化粧料Ｌのくわえ部Ｌｓを完全に押し出すために、スリーブ２の先端内周面２２の軸方向の長さＬ２２と、スティックホルダー３の保持筒３１の外側回転規制部３１２を除いた部分の軸方向の長さＬ３０がほぼ等しいと好適である。
【００９１】
なお、本例では、スティックホルダー３において保持筒３１に対して、昇降体３２をスライド移動させるために、保持筒３１側にスライド用の突起（リブ３１１）が設けられ、皿部３３側にスライド用の延伸溝（延伸溝部３３１）が設けられた例を示したが、構成は反対であってもよい。即ち、外側の保持筒３１の内周面にスライド用の溝が設けられ、内側の皿部３３の外周面にスライド用の突起を設けてもよい。
【００９２】
また、本例において、スティックホルダー３とスリーブ２とのスライド移動のために、六角形の輪郭と内側形状を用いているが、略多角形状の輪郭であれば、何角形であってもよい。
【００９３】
さらに、本例において、スティックホルダー３の保持筒３１と皿部３３とのスライド移動のためにスライド用の突起と溝とを設け、スティックホルダー３とスリーブ２とのスライド移動のために略多角形の輪郭と内側形状を用いているが、スライド移動のための構成は逆であってもよい。即ち、スティックホルダー３の保持筒３１と皿部３３とのスライド移動のために、保持筒３１の内周を略多角柱状の中空体で構成し、皿部３３の外側に略多角形の輪郭の外側回転規制部を設けてもよい。あるいは、スティックホルダー３とスリーブ２とのスライド移動のために、スリーブ２の先端部を除いた内周にスライド用の突起を設け、保持筒３１の外周に溝の形状を構成する、又はスリーブ２の先端部を除いた内周にスライド用の溝を設け、保持筒３１の外周に突起の形状を設けてもよい。
【００９４】
図９は、図１に示す繰出し容器１０の縦方向断面図である。図９において、（ａ）は図１（ａ）のＢＢ面切断図、（ｂ）はＣＣ面切断図、（ｃ）はＤＤ面切断図、（ｄ）はＥＥ面切断図である。
【００９５】
図９（ａ）では、キャップ７の内側には、スリーブ２と、棒状化粧料Ｌが存在する。
【００９６】
図９（ｂ）では、キャップ７の内側には、ジョイント部４と、スリーブ２と、スティックホルダー３の保持筒３１と、棒状化粧料Ｌが存在する。図９（ｂ）に示すように、スティックホルダー３の保持筒３１の内側には、内側（中央側）に突出する複数６本の突起であるリブ３１１が設けられている。
【００９７】
図９（ｃ）は、スティックホルダー３の保持筒３１と昇降体３２との連結を示しており、ケース１の内側には、内側面が略多角形状のスリーブ２と、スティックホルダー３の略多角形状の外側回転規制部３１２と、皿部３３とが存在する。
【００９８】
図９（ａ）に示すように、スリーブ２の円周形状の内側の先端内周面２２は、スリーブ２の略多角柱状の中空部２１よりも小さい（狭い）。そのため、図８に示したように、保持筒３１の先端が、スリーブ２の先端に到達すると、略多角形状の輪郭を有する保持筒３１の後端部の外側回転規制部３１２は、先端内周面２２の部分には進入できず、スリーブ２の先端内周面２２と略多角形の中空部２１との段差Ｓに突き当たって停止する。
【００９９】
また、図９（ｃ）に示すように、スティックホルダー３の保持筒３１の内側には、内側に突出する６本のリブ３１１が設けられている。この６本のリブ３１１は、棒状化粧料の回転を規制するとともに、保持筒３１に対する皿部３３の回転を抑制する、保持筒３１側の回転止め部である。
【０１００】
また、スティックホルダー３の昇降体３２の皿部３３の外周には、６つの溝部３３１が形成されている。６つの溝部３３１は、皿部３３側の回転止め部である。この６本のリブ３１１及び溝部３３１が係合することで、保持筒３１に対する皿部３３の回転が抑制される。
【０１０１】
また、図９（ｃ）に示すように、保持筒３１の内周の複数のリブとリブの間隔、及び皿部３３の複数の溝部と溝部との間隔に、保持筒３１と皿部３３とを接続する、６箇所の連結部分３５が設けられている。
【０１０２】
リブ３１１及び溝部３３１は、連結部分３５が設けられていない場所に設定されているため、保持筒３１の内周と皿部３３の外周とで、互いの機能を妨害せずに、連結とスライド移動の２つの機能を持たせることができる。
【０１０３】
なお、本例では、スティックホルダー３において、保持筒３１及び皿部３３側にスライド用のリブ３１１及び延伸溝部３３１を６つずつ設けた例を示したが、スライド用の係合部（回転規制部）は、突起と溝部の数が合致していれば、２以上のいくつであってもよい。
【０１０４】
また、本例では、スティックホルダー３において、スライド用のリブ３１１及び延伸溝部３３１と、連結部分３５とが、同数の６つずつ設けている例を示しているが、連結部分と、スライド用の突起と溝部の数は別の数であってもよい。例えば、スライド用の突起と突起（溝と溝）との間隔において、連結部分３５を間欠的に設けてもよいし、又は連結部分を設けない間隔があってもよい。
【０１０５】
＜繰出し筒とスティックホルダー＞
図１０は、スティックホルダー３と、繰出し筒５を示す斜視図である。スティックホルダー３の、押筒３４の外周には、繰出し筒５の内周の一部と係合するホルダー側係合突起３４１が設けられている。
【０１０６】
スティックホルダー３の、押筒３４のホルダー側係合突起３４１は、繰出し筒５の係合溝である螺旋状の溝（螺旋溝）５１と係合する、外側面に対して略直角に突出する複数の突起である。
【０１０７】
本実施形態において、繰出し筒５は、筒部の内周面に螺旋溝５１が形成された略筒状の雌ネジ部材である。
【０１０８】
図１１は、繰出し筒５を開放した状態を示す図である。本実施形態では、図１１に示すように、繰出し筒５は、半円筒形状の一組の分割体５０Ａ，５０Ｂによって構成されている。図１２は、繰出し容器におけるスティックホルダー３及び繰出し筒５、及びケース１を示す縦方向断面図である。
【０１０９】
本実施形態では、繰出し筒５のそれぞれの分割体５０Ａ，５０Ｂには、一組の分割体を互いに組み付けたときに、周方向に連続した螺旋状の溝になるように、半円筒形状の内周面に溝５１Ａ，５１Ｂが形成されている。
【０１１０】
一組の分割体５０Ａ，５０Ｂの各分割体の周方向の一端ＣＥ１Ａ，ＣＥ１Ｂには、位置決め部５３Ａ，５３Ｂがそれぞれ設けられており、一組の分割体５０Ａ，５０Ｂを組み付ける際に、一組の位置決め部５３Ａ，５３Ｂを嵌合させる。
【０１１１】
さらに、繰出し筒５は、一組の分割体５０Ａ，５０Ｂの周方向の他端部ＣＥ２Ａ，ＣＥ２Ｂを略平行に隣接させて、周方向の他端部ＣＥ２Ａ，ＣＥ２Ｂ同士を連結する、一組の分割体５０Ａ，５０Ｂと一体成形されたヒンジ部５２を有している。ヒンジ部５２は、分割体５０Ａ，５０Ｂの分割線ｄｌ（図１２参照）に沿って外側に延び出した延出部が折り畳まれるように、中央部に折り溝ｆｇが形成されている。
【０１１２】
図１１の状態から、ヒンジ部５２を中心として、一組の分割体５０Ａ，５０Ｂの少なくとも一方を回転させて一組の分割体を折り畳んで、筒状にする。
【０１１３】
また、一組の分割体５０Ａ，５０Ｂの半円筒形状の軸方向の後端ＡＴＥには、内側に突出する凸部であるアンダーカット５４Ａ，５４Ｂがそれぞれ設けられている。
【０１１４】
このアンダーカット５４Ａ，５４Ｂは後端側の抜け止めとなっており、繰出し筒５の内部をスティックホルダー３が回転移動する際に、スティックホルダー３が後端側に行き過ぎてケース１の底部を破壊することを防ぐ。
【０１１５】
本実施形態では、一組の分割体５０Ａ，５０Ｂに形成された、半円筒形状の軸方向の先端側螺旋溝５１１の溝ピッチ（ねじリード）ＧＰ１と、軸方向の後端側螺旋溝５１２の溝ピッチ（ネジリード）ＧＰ２とは、異なっている。
【０１１６】
一組の分割体に形成された螺旋溝５１では、半円筒形状の軸方向の先端側螺旋溝５１１の、先端からスティックホルダー３の保持筒３１と同じ長さに相当する部分は、他の部分である後端側螺旋溝５１２よりもピッチが狭い。
【０１１７】
本実施形態では、スティックホルダー３が図３（ａ）に示す後端側に位置しているときに、スティックホルダー３の押筒３４の後端部近傍に設けられたホルダー側係合突起３４１は、繰出し筒５の後端側の螺旋溝５１２と係合する。一方、スティックホルダー３が保持する棒状化粧料Ｌのくわえ部Ｌｓを最後まで押す出すときに、ホルダー側係合突起３４１は、繰出し筒５の先端側の螺旋溝５１１と係合する。
【０１１８】
本実施形態では、溝ピッチの違いにより、使用者は、スティックホルダー３の後端の係合突起３４１が、繰出し筒５の後端側の螺旋溝５１２（例えばＧＰ２＝６ｍｍ）の後端側を移動している際は、通常の力で、棒状化粧料Ｌを繰り出す。
【０１１９】
そして、通常使用上死点に達した後、係合突起３４１が、繰出し筒５の先端側の溝ピッチＧＰ１が３ｍｍの領域に到達しはじめるときに、推進力を利用して、スティックホルダー３の、皿部３３と保持筒３１との連結部分３５を破断させる。
【０１２０】
そして、連結部分３５を破断後に、係合突起３４１が、先端側の溝ピッチＧＰ１が３ｍｍの領域内を進むときは、棒状化粧料Ｌのくわえ部Ｌｓを、通常時よりも少しずつ押し出す。
【０１２１】
そのため、押筒３４の係合突起３４１が、繰出し筒５の後端側の螺旋溝５１２と係合して進む場合を、通常の力と棒状化粧料Ｌの通常の前進速度としたときに、連結部分３５を破断させるときは、強い手ごたえを感じ、その後係合突起３４１が先端側の螺旋溝５１１と係合して進むときは、同じ速度で回転させても、通常時より、前進速度が遅くなる。
【０１２２】
このような繰出し筒５の螺旋溝５１の構造により、本願のスティックホルダー３の連結部分の破断及び棒状化粧料Ｌのくわえ部Ｌｓの押し出しを、使用者に手ごたえや、前進速度の変化として伝えながら、効果的に実現させることができる。
【０１２３】
＜第２実施形態＞
次に、図１３〜図１５を用いて、本発明の第２実施形態のスティックホルダーについて説明する。
【０１２４】
図１３は、第２実施形態の繰出し容器１０αの全体図である。図１３において、（ａ）は全体側面図であって、（ｂ）は、図１３（ａ）の繰出し容器１０α及びキャップ７を断面ＡＡで切断した、側面断面図である。
【０１２５】
図１４は、第２実施形態における、繰出し筒５及びスリーブ２の側面断面図と、スティックホルダー３α及び棒状化粧料Ｌの斜視図を組み合わせた図である。
【０１２６】
図１５は、第２実施形態に係るスティックホルダー３αの説明図である。図１５において、図１３（ａ）の状態から見て、（ａ）は左正面図、（ｂ）は上面図、（ｃ）は側面図、（ｄ）は右正面図である。
【０１２７】
本実施形態のスティックホルダー３αでは、連結部分３５を破断後、保持筒３１αに対する昇降体３２αの回転規制のための構成が第１実施形態とは異なる。
【０１２８】
本構成では、スティックホルダー３αには、皿部３３αよりも後端側に、押筒３４αの外周から外側に起立するフランジ３６が設けられている。なお、本実施形態では、図１５（ａ）に示すように保持筒３１αに内側リブは設けられておらず、皿部３３αに延伸溝部は設けられていないため、保持筒３１αの内周及び皿部３３αの外周は、連結部分３５以外は円形状である。
【０１２９】
フランジ３６は、図１５（ａ）及び図１５（ｄ）に示すように、外側回転規制部３１２と同じ大きさの、略多角形の輪郭を有している。
【０１３０】
本実施形態では、スティックホルダー３αがスリーブ２の内側において軸線方向にスライド移動する際、外側回転規制部３１２及びフランジ３６が、スリーブ２の略多角柱の中空部２１（図７参照）と面接触することで、スティックホルダー３αのスリーブ２に対する回転を規制している。
【０１３１】
そして、棒状化粧料Ｌのくわえ部Ｌｓを押し出すために、連結部分３５破断後、昇降体３２αが保持筒３１αの中に進入した際、即ち、保持筒３１αが停止した状態でさらに昇降体３２αが前進する際、フランジ３６の外側面が、スリーブ２の略多角柱の中空部２１と面接触することで、昇降体３２αのスリーブ２に対する回転を規制する。この期間、外側回転規制部３１２の外側面がスリーブ２の略多角柱の中空部２１（図７参照）と面接触することでスリーブ２に対する保持筒３１の回転が規制されながら、外側回転規制部３１２がスリーブ２の段差Ｓに突き当たって保持筒３１αは前進を停止させられている。即ち、本実施形態では、昇降体３２αが保持筒３１αの中に進入した際、フランジ３６の外側面である略多角柱形の輪郭部と、スリーブ２の略多角柱の中空部２１とが、第１の回転規制機構を構成する。
【０１３２】
そのため、スリーブ２に対する保持筒３１αの回転が規制された状態で、フランジ３６によってスリーブ２に対する昇降体３２αの回転を規制されることにより、保持筒３１αに対して昇降体３２αの回転も規制される。
【０１３３】
ここで、本構成では、皿部３３αの後端からフランジ３６の先端までの距離Ｄｆを、保持筒３１αの距離Ｌ３１以上に設定することで、保持筒３１α内に保持される棒状化粧料Ｌのくわえ部Ｌｓを最後まで押し出すことができる。
【０１３４】
また、本実施形態においても、図１５（ａ）に示すように破断前は、連結部分３５によって昇降体３２αと保持筒３１αが連結されている。そのため、スティックホルダー３αは、部品の追加なく、通常使用時は一部品として一体的に構成されているため、最後に押し出すための追加の部品は不要となる。したがって、スリム化した細長い繰出し容器１０αにおいて、道具を準備したり、手を汚すことなく、棒状化粧料のくわえ部を最後まで使い切ることができる。
【０１３５】
また、本実施形態において、フランジ３６は、皿部３３αよりも後端側に設けられるため、図３（ｃ）に示すように、棒状化粧料Ｌをすべて押し上げた後、昇降体３２αをさらに押し上げようとしても、フランジ３６の先端が、段差Ｓによって停止させられた保持筒３１αの後端に突き当たる。そのため、フランジ３６により、使用後の昇降体３２αの抜け落ちを防止し、繰出し容器１０αを一体化したまま廃棄することができる。
【０１３６】
本実施形態では、上述のように連結部分３５破断後に昇降体３２αが保持筒３１αの中に進入した際、フランジ３６の外側面がスリーブの多角柱状の中空部２１と係合することで、回転が規制されるので、溝と突起との係合による回転規制よりも、回転規制のための接触領域が多くなり、捩じる力が掛かっても破損しづらく、より前進動作が安定化する。
【０１３７】
ただし、保持筒３１αとは異なる部分に、皿部３３αの後端から間隔を空けてフランジ３６を設けるため、その分、棒状化粧料Ｌが入る部分が少なくなる。
【０１３８】
そのため、操作時の安定性か、内容物の保持量か、必要な特性に応じて、スティックホルダーの構成を適宜選択すると好適である。
【０１３９】
なお、図１３（ｂ）、図１４では、スティックホルダー３を最も後端側に移動させた際に、繰出し筒５の後端側が余っている構成を示しているが、スティックホルダー３αを最も後端側に移動させた際に、繰出し筒５の後端側が余らないように繰出し筒５を短く構成してもよい。
【０１４０】
なお、上記第１、第２の実施形態では、回転動作により、スティックホルダーを軸方向に移動させるための構成として、軸方向スティックホルダー側に雄ネジの突起、繰出し筒側に雌ネジの溝部を設ける例を示しているが、移動用の係合のためのネジ形状は逆の構成であってもよい。
【０１４１】
＜第３実施形態＞
次に、本発明の第４実施形態のスティックホルダーと繰出し筒について説明する。図１６は、第３実施形態に係るスティックホルダー３β及び繰出し筒５βの斜視図である。
【０１４２】
本実施形態では、スティックホルダー３βのホルダー側係合部として、昇降体３７の押筒３８の外周面には、螺旋状のネジ溝（螺旋溝）３９が形成されている。
【０１４３】
図１７は、第３実施形態に係るスティックホルダー３βの説明図である。図１７において、図１６の状態から見て、（ａ）は左正面図、（ｂ）は上面図、（ｃ）は側面図、（ｄ）は右正面図である。
【０１４４】
図１６、図１７に示すように、押筒３８に形成された螺旋状のネジ溝では、後端側の螺旋溝３９１のピッチは、先端側の螺旋溝３９２よりもピッチが狭い。
【０１４５】
本実施形態において、保持筒３１、皿部３３の構成は上述の図５と同様の構成であって、皿部３３及び押筒３８は、保持筒３１に対して進入可能な昇降体３７として機能する。
【０１４６】
本実施形態においても、スティックホルダー３βは、部品の追加なく、通常使用時は一部品として一体的に構成されているため、最後に押し出すための追加の部品は不要となる。そのため、スリム化した細長い繰出し容器において、道具を準備したり、手を汚すことなく、棒状化粧料のくわえ部を最後まで使い切ることができる。
【０１４７】
繰出し筒５βは、内周面にスティックホルダー３βの押筒３８の螺旋溝３９と係合する係合突起（繰出し側係合突起）５６が設けられている。なお、図１６では一方のみ示しているが、上述の押筒３４の係合突起３４１同様に、スティックホルダー３βを安定的に回転移動させるため、繰出し筒５βの係合突起５６は、２つ以上設けられている。
【０１４８】
本実施形態では、繰出し筒５βの係合突起（係合部）５６と、押筒３８の螺旋溝３９との関係は、雌ネジの山の一部と雄ネジの溝との関係になる。
【０１４９】
また、繰出し筒５βの外周面には、繰出し筒５βのケース１に対する回転を止める回転止め具５５が設けられている。
【０１５０】
本実施形態では、スティックホルダー３βが図３（ａ）に示す後端側に位置しているときに、繰出し筒５βの先端部近傍に設けられた、係合突起５６は、押筒３８の先端側の螺旋溝３９２と係合する。一方、スティックホルダー３が保持する棒状化粧料のくわえ部Ｌｓを図３（ｃ）に示すように最後まで押す出すときには、繰出し筒５βの係合突起５６は、押筒３８の後端側の螺旋溝３９１と係合する。
【０１５１】
ここで、くわえ部Ｌｓを押し出すために通常使用上死点に達した後、係合突起５６が、押筒３８の先端側の溝ピッチが狭い螺旋溝３９１の領域に到達し始めるときに、推進力を利用して、スティックホルダー３βの、皿部３３と保持筒３１との連結部分３５を破断させる。
【０１５２】
そして、連結部分３５を破断後に、係合突起５６が、押筒３８の後端側の螺旋溝３９１と係合する領域内を進むときは、棒状化粧料Ｌのくわえ部Ｌｓを、通常時よりも少しずつ、押し出す。
【０１５３】
そのため、繰出し筒５βの係合突起５６が、押筒３８の先端側の螺旋溝３９２と係合して進む場合を、通常の力と棒状化粧料Ｌの通常の前進速度としたときに、連結部分３５を破断させるときは、強い手ごたえを感じ、その後係合突起５６が、押筒３８の後端側の螺旋溝３９１と係合して進むときは、同じ速度で回転させても、通常時より前進速度が遅くなる。
【０１５４】
本変形例においても、このようなスティックホルダー３βの押筒３８の螺旋溝の構造により、本願のスティックホルダー３βの連結部分３５の破断及び棒状化粧料Ｌのくわえ部Ｌｓの押し出しを、使用者に手ごたえや、前進速度の変化として伝えながら、効果的に実現させることができる。
【０１５５】
なお、本実施形態において、スティックホルダーにおける連結部分破断後の前進時の位置規制について、第１実施形態と同様の構成について説明したが、押筒３８において先端側の皿部３３周辺に螺旋溝を設けない部分を設け、押筒において皿部よりも後端であって螺旋溝を設ける部分と設けない部分との境界に図１５に示すフランジ３６を設け、フランジ３６の外側面の多角形形状と、スリーブの内側の多角筒形状によって、位置規制を行ってもよい。
【０１５６】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０１５７】
１  ケース
２  スリーブ
３，３α，３β  スティックホルダー（被繰出部材）
４  ジョイント部
５，５β  繰出し筒（雌ネジ部材、繰出部材）
６  オーリング
７  キャップ
１０，１０α，１０β  繰出し容器
２１  略多角柱の中空部（第２の回転規制機構、第１の回転規制機構）
２２  先端内周面
２３  外周連結部
３１  保持筒
３１１  リブ（回転止めの突起、回転規制部、第１の回転規制機構）
３１２  外側回転規制部（第２の回転規制機構）
３２，３７  昇降体
３３  皿部
３３１  延伸溝部（第１の回転規制機構）
３４，３８  押筒
３４１  ホルダー側係合突起（係合突起）
３５  連結部分
３６  フランジ（第１の回転規制機構）
３９  螺旋溝
３９１  後端側螺旋溝
３９２  先端側螺旋溝
５０Ａ，５０Ｂ  分割体
５１  螺旋溝（螺旋状の溝）
５１１  先端側螺旋溝
５１２  後端側螺旋溝
５２  ヒンジ部
５３Ａ，５３Ｂ  位置決め部
５６  繰出し側係合突起（係合突起）
Ｌ  棒状化粧料
Ｓ  段差
【図１】
2020049700.tif 000003
【図２】
2020049700.tif 000004
【図３】
2020049700.tif 000005
【図４】
2020049700.tif 000006
【図５】
2020049700.tif 000007
【図６】
2020049700.tif 000008
【図７】
2020049700.tif 000009
【図８】
2020049700.tif 000010
【図９】
2020049700.tif 000011
【図１０】
2020049700.tif 000012
【図１１】
2020049700.tif 000013
【図１２】
2020049700.tif 000014
【図１３】
2020049700.tif 000015
【図１４】
2020049700.tif 000016
【図１５】
2020049700.tif 000017
【図１６】
2020049700.tif 000018
【図１７】
2020049700.tif 000019
【国際調査報告】
2020049700.tif 000020
2020049700.tif 000021
2020049700.tif 000022
2020049700.tif 000023